(57)【要約】本発明はマイクロスピーカから発生する磁場から人体を保護することができるマイクロスピーカユニットに関するもので、中央部分に収容部が形成されていると共に、前記収容部の外側に複数のダンピングホールが所定の間隔で形成されたフレームと、前記収容部に設置されて振動を発生させるダイアフラムと、前記ダイアフラムの内部に設置されたマグネットと、前記フレームの収容部とダンピングホールをカバーするように前記フレームに結合されたプロテクターと、前記プロテクターの中央に前記マグネットと対向して設置された可動コイルと、前記マグネットと可動コイルによって発生する磁場を前記フレームの外部に放射するために前記フレームに設けられた磁場放射部を含む。本発明によればマイクロスピーカから発生する磁場を外部方向に放射させて磁場から人体を保護することができる長所がある。
2008509639.tif 000002
【特許請求の範囲】
【請求項１】
中央部分に収容部（１１）が形成されていると共に、前記収容部（１１）の外側に複数のダンピングホール（１３）が所定の間隔で形成されたフレーム（１０）と、
前記収容部（１１）に設置されて振動を発生させるダイアフラム（１７）と、
前記ダイアフラム（１７）の内部に設置されるマグネット（１５）と、
前記フレーム（１０）の収容部（１１）とダンピングホール（１３）をカバーするように前記フレーム（１０）に結合されたプロテクター（２０）と、
前記プロテクター（２０）の中央に前記マグネット（１５）と対向して設置された可動コイル（２１）と、
前記マグネット（１５）及び可動コイル（２１）によって発生した磁場を前記フレーム（１０）の外部に放射するために前記フレーム（１０）に設けられた磁場放射部（３０）とを含むことを特徴とする、マイクロスピーカユニット。
【請求項２】
前記磁場放射部（３０）が、
前記フレーム（１０）の中央に形成された磁場放射ホール（３１）と、
前記磁場放射ホール（３１）と等しい直径で前記マグネット（１５）の中央部に形成された磁場誘導路（１６）とを含むことを特徴とする、請求項１に記載のマイクロスピーカユニット。
【請求項３】
前記プロテクター（２０）をカバーするように前記フレーム（１０）に結合されて、その中央に音響を送り出すカバーホール（５１）が形成されたカバー（５０）をさらに含むことを特徴とする、請求項１に記載のマイクロスピーカユニット。
【発明の詳細な説明】
【技術分野】
【０００１】
本発明はマイクロスピーカから発生する磁場から人体を保護することができるマイクロスピーカユニットに関する。
【背景技術】
【０００２】
一般的にマイクロスピーカユニットはマグネットの磁場に対して可動コイル（Moving coil）に加えられる電流の極性変化によって発生する引力と斥力によって振動するようになるダイアフラム（diaphragm）が周辺にある空気を揺り動かして疎密波を作って音を出すことになる。
【０００３】
このような場合マイクロスピーカユニットが放射する磁場が人体に否定的な影響を及ぼすことになるのでこれを有害磁場とする。
【０００４】
従って、マイクロスピーカユニットから発生する有害磁場から人体を保護する別途の構造が要求され、マイクロスピーカユニットからの有害磁場を低減するためにマイクロスピーカユニットを人体から距離を置いて細いホースで連結する方式を使ったりした。
【０００５】
しかし、従来のようにマイクロスピーカユニットと耳とをホースで連結する方式はホースの共振、ホースが受ける周辺の騷音などで音響特性の劣化を避けることができないという問題があった。又、従来のマイクロスピーカユニットと耳とをホースで連結する方式は、別途のホースを具備しなければならないので構造が複雑になって煩わしいという問題があった。
【発明の開示】
【発明が解決しようとする課題】
【０００６】
本発明は前記のような問題点を解決するために提案されたもので、本発明の目的は、マイクロスピーカから発生する磁場から人体を保護することができるマイクロスピーカユニットを提供することである。
【課題を解決するための手段】
【０００７】
本発明は、中央部分に収容部が形成されていると共に、収容部の外側に複数のダンピングホール（damping hole）が所定の間隔で形成されたフレームと、前記収容部に設置されて振動を発生させるダイアフラムと、前記ダイアフラムの内部に設置されるマグネットと、前記フレームの収容部とダンピングホールをカバーするように前記フレームに結合されたプロテクターと、前記プロテクターの中央に前記マグネットと対向して設置された可動コイルと、前記マグネット及び可動コイルによって発生した磁場を前記フレームの外部に放射するために前記フレームに設けられた磁場放射部とを含む。
【発明の効果】
【０００８】
本発明は、携帯電話機、ヘッドセット又はイヤホンに適用可能である。本発明の適用可能な範囲は極めて広範で多様である。
【０００９】
本発明によれば、マイクロスピーカで発生する磁場を外部方向に放射させて磁場から人体を保護することができる長所がある。
【００１０】
また本発明はマイクロスピーカに設けられた自分の放射部によってマイクロスピーカで発生する磁場が人体の反対方向に放射されて磁場が人体に及ばない利点がある。
【発明を実施するための最良の形態】
【００１１】
以下、本発明の実施例について図面を参考して詳しく説明する。
【００１２】
図１は本発明によるマイクロスピーカユニットの斜視図で、図２は本発明によるマイクロスピーカユニットの分解斜視図であり、図３は本発明によるマイクロスピーカユニットの断面図で、図４は本発明によるマイクロスピーカユニットの分解断面図である。
【００１３】
図１ないし図４に図示されたように、本発明は円形形状のフレーム（１０）が具備されて、このフレーム（１０）の中央部分には収容部（１１）である収容ホームが所定の深さで形成されて、収容部（１１）の外側には複数のダンピングホール（１３）が所定の間隔で離隔されるように放射形に形成されている。ここで、ダンピングホール（１３）は音響をスピーカの背面に排出し易くするように開口率を高めるために複数が形成されている。
【００１４】
そしてフレーム（１０）の収容部（１１）には振動を発生させるダイアフラム（１７）が設置されて、ダイアフラム（１７）の内部にはマグネット（１５）が設置されて、フレーム（１０）の収容部（１１）とダンピングホール（１３）をカバーするようにフレーム（１０）にはプロテクター（２０）が結合されている。ここで、ダイアフラム（１７）の振動はダンピングホール（１３）の開口率によって制御され音の質が調整される。
【００１５】
プロテクター（２０）の中央には、収容部（１１）に収容されたマグネット（１５）と対応になるように可動コイル（２１）が設置されて、マグネット（１５）と可動コイル（２１）によって発生する磁場をフレーム（１０）の外部で放射するためにフレーム（１０）には磁場放射部（３０）である磁場放射ホール（３１）がフレーム（１０）の中央に形成されて、磁場放射ホール（３１）と等しい直径で前記マグネット（１５）の中央部に磁場誘導路（１６）が形成されている。
【００１６】
また、フレーム（１０）の内部にはフレーム（１０）とダイアフラム（１７）の間の間隔を確保するためにリング形状のスペーサー（４０）が配置されている。
【００１７】
そしてフレーム（１０）の後方にはカバー（５０）が結合されてフレーム（１０）の内部の構成を保護する。ここで、カバー（５０）の中央には音響を聞くことができるカバーホール（５１）が形成されている。そして、プロテクター（２０）とカバー（５０）は一体に製作されることもできる。プロテクター（２０）はフレーム（１０）とカバー（５０）の空間が分離するようにフレーム（１０）と完全に密着される。
【００１８】
以下本発明は次のような作用及び効果がある。
【００１９】
このように構成された本発明はマグネット（１５）と可動コイル（２１）が作用してダイアフラム（１７）の正面空気の疏密波を作る時、マグネット（１５）から発生する磁場はフレーム（１０）の中央に形成された磁場放射部（３０）である磁場誘導路（１６）と磁場放射ホール（３１）に沿ってスピーカの外部方向に放射される。
【００２０】
即ち、磁場は人体の反対方向に放射されるので本発明を使う使用者は磁場放射部（３０）によって磁場から保護される。
【００２１】
このように構成された本発明は複数のダンピングホール（１３）によってフレーム（１０）の開口率が増大しているのでダイアフラム（１７）の自由振動が抑制されて、カバー（５０）の中央に形成されたカバーホール（５１）を通じて音響を聞くことができる。即ち、プロテクター（２０）の全面に位置されたフレーム（１０）のダンピングホール（１３）によって雑音が排出されて、カバー（５０）のカバーホール（５１）によって良質の音響が使用者の耳に伝達される。
【００２２】
このように構成された本発明は携帯電話、ヘッドセット、イヤホーン等に適用されて使われるのでその適用範囲が非常に幅広くて非常に有用な発明である。以上本発明の望ましい実施例に対して詳しく記述したが、本発明が属する技術分野において通常の知識を持った人なら請求範囲に記載した範囲内で本発明をいろいろ変形又は設計変更して実施する場合には本発明の範囲に属する。
【図面の簡単な説明】
【００２３】
【図１】図１は本発明マイクロスピーカユニットの斜視図。
【図２】図２は本発明マイクロスピーカユニットの分解斜視図。
【図３】図３は本発明マイクロスピーカユニットの断面図。
【図４】図４は本発明マイクロスピーカユニットの分解斜視図。
【図１】
2008509639.tif 000003
【図２】
2008509639.tif 000004
【図３】
2008509639.tif 000005
【図４】
2008509639.tif 000006
【国際調査報告】
2008509639.tif 000007
2008509639.tif 000008